(57)【要約】      （修正有）【課題】家庭に常備されている容器にジョウロの機能を兼備する蓋を取り付けることにより容器とジョウロのもつ機能を一体化できる容器の蓋を提供する。【解決手段】外縁に近づくほど外側に傾斜した多数の小孔Ｂを一端側に設け、給水用の切欠Ｃを他端側に設けて蓋Ａをしたまま給水が可能になる着脱自在に容器Ｄの開口部外縁に嵌着する散水の機能を有する容器の蓋。【選択図】図１
2007049979.tif 000002
【特許請求の範囲】
【請求項１】
外縁に近づくほど外側に傾斜した多数の小孔を一端側に設け、給水用の切欠を他端側に設け、蓋をしたまま給水が可能なる着脱自在に容器の開口部外縁に嵌着する散水の機能を有する容器の蓋。
【発明の詳細な説明】
【技術分野】
【０００１】  本発明は容器の開口部外縁に有孔部と切欠を有する蓋を嵌着させ容器に散水の機能を付加させる蓋に関する。
【背景技術】
【０００２】  花木等に水やりをする為には、従来からジョウロ及びバケツ内の水をヒシャクを用いて撒くか水道の蛇口にホースを緊結した後、水道水を送水しホースの先端より散水する技術が知られている。【０００３】  牛乳や清涼飲料の使用済容器に合成樹脂にて成形されたジョウロを取り付けて小さな植木鉢に水やりを行う技術がある。【０００４】  釣魚用容器の網蓋としてバケツ、桶など容器の開口部中央に釣魚が飛び出さない構造をもつ網蓋の技術がある。【０００５】  活魚用容器の蓋として、活魚を容器に出し入れ可能にし水や海水の入れ替えを容易にし、なおかつ入れた活魚が容器から飛び出さない様にした蓋の技術がある。【０００６】
【特許文献１】  実用新案登録  第３０３１５６２号
【特許文献２】  実用新案登録  第３０９４２６７号
【特許文献３】  実用新案登録  第３１０４１９８号
【発明の開示】
【発明が解決しようとする課題】
【０００７】  園芸用及び農作業用に容器内部の水又は液体肥料などを散水する作業時には操作者の予想を越え多量の又は少量の水又は液体肥料などが流出し、期待する量の水又は液体肥料を容器内部から適確にかつ広範囲に流出させ散水するには問題が残っていた。【０００８】  防塵処理及び冷却の目的で道路等に散水する場合はそれぞれ別個体である容器又はジョウロ及びホース又はヒシャクを用いて作業していたため各個体の非使用時での各家庭の限られた居住空間における保管場所に問題があり、それぞれの購入費用の問題も残っていた。【０００９】  従来よりバケツに代表される散水用容器の蓋には散水作業時及び運搬作業時に於いて内部の水が振動又は作業者の転倒による揺動に伴い容器外に流出する事を未然に防止する機能と容器内容物から発生する臭気の発散防止及び視覚的に嫌悪感を抱かせる容器内容物を外部から視認出来ない様にする機能しか備わっていなかった。【００１０】  ジョウロには散水するという本来の目的以外の機能は備わっておらずジョウロの容量上限を越えた水等を目的場所に運搬し散水する為には別個体である容器に水を注入しその両方を持参するかジョウロで散水後空になったジョウロを持ち補給の為に離れた場所にある給水装置間で往復する必要が生じ不便であった。【００１１】  特許文献１における牛乳や清涼飲料の空になった紙容器を用いて合成樹脂で形成されたジョウロを取付ける技術に於ては、使用回数が増す毎に容器そのものが紙製であるが故に湿潤と乾燥を繰り返す事に依り紙容器が疲幣し破損した箇所から漏水するなどの課題は残されていた。また外径寸法が限定された市販の紙製空容器に合致するジョウロであるが為に給水口が小さく蓋をしたままの状態で水道の蛇口から直接給水するには困難が伴っていた。【００１２】  特許文献２における網蓋の囲枠部は環状である伸縮自在な弾性体をもって構成され、容器の開口縁部を囲にょうして弾性的に囲枠部を開口縁部に取り付けるようにしている。しかし蓋そのものが網で形成されているために容器内部に投入した小魚の飛び出しを防止するには有効であるが中型魚以上に於ての課題は残されていた。それに対し本発明は蓋そのものを容器の開口部外縁に嵌着させ蓋と容器の取付強度を高めようとするものである。【００１３】  特許文献３における活魚用容器の蓋の技術は、リング状の軟質弾性体の枠を漏斗状の網の外周に設け、網の筒口の先端に活魚用の穴を設け容器の開口部外縁に枠を装着するものである。それに対し本発明は蓋そのものを容器の開口部外縁に嵌着させ蓋と容器の取付け強度を高めようとするものである。【００１４】  本発明はこの様な背景技術の構成が有していた課題を解決するとするものであり、各家庭に既に常備されている容器にジョウロの機能をもつ蓋を取り付ける事に依り、従来からあるジョウロの保管場所における占有面積を減少させると共に新たにジョウロを購入する費用をも低減させ効率良くかつ有効に容器から散水できることを目的とする。【００１５】  本発明は上記目的を達成するために家庭に常備されている容器にジョウロの機能を兼備する蓋を取付けることにより容器とジョウロのもつ機能を一体化し容器本来の機能とジョウロ本来の機能をなんら損なうことのない容器の蓋を提供するものである。
【課題を解決するための手段】
【００１６】  本発明は上記課題を解決するために成されたものであり、つまり蓋の外縁に近づくほど外側に傾斜した多数の小孔を一端側に設けて散水の機能をもつ構造とし、また蓋の他端側には給水用の切欠を設け、蓋をしたまま水道の蛇口から水道水を切欠を通過して容器内部に給水することが可能であり、容器の開口部外縁に着脱自在に嵌着する散水及び給水の機能を有する容器の蓋を提供し課題を解決するための手段とするものである。【００１７】  上記の課題解決手段による作用は次の通りである。すなわち家庭に常備されている容器本体の開口部外縁に一端に有孔部が形成されまたその他端側には注水用及び排水用の機能をもつ切欠が形成された蓋を取付けることにより有孔部より排水した場合にはジョウロになり切欠部より排水した場合には容器からの排水となることができる。
【発明の効果】
【００１８】内容物の現在量を切欠を設けてある事により視認する事が可能となる。【００１９】散水の目的で新規にジョウロを購入する必要が無くなる。【００２０】蓋をしたままの状態で給水及び散水する事が可能となる。
【発明を実施するための最良の形態】
【００２１】  以下、本発明の実施の形態を図１〜図８に基づいて説明する。【００２２】  操作者は蓋Ａを手に持ち図７に示すように容器本体Ｄの上縁Ｇに接近させ片手又は両手にて蓋Ａを下方に押下げる。蓋取付部先端Ｆは容器開口部外縁Ｇに噛み合うように容器本体Ｄに向き傾斜している。外れ止めとしての機能をもつＦの形状が形成されていることにもより蓋Ａと容器本体Ｄとは嵌着し容器本体Ｄにジョウロの機能が付加される。【００２３】  操作者は把手Ｉをにぎり内部に水Ｈが満たされた容器本体Ｄを片方の手により持ち上げる、その後散水する目的地まで運搬後もう一方の手で容器本体Ｄの底部を斜め上方に持ち上げることにより容器本体Ｄは傾斜し水Ｈは蓋Ａに形成された有孔部Ｂを通過し、図６における有孔部Ｂの小孔の向きが外縁に近づくにつれ外側に向いて形成されている為、従来からあるジョウロに比してより広範囲にそして適確に散水するという初期の目的を達成する。【００２４】また従来からある容器としての機能を期待し散水又は排水する場合に於ては操作者は把手１をにぎり内部に水Ｈが満たされた容器本体Ｄを片方の手により持ち上げる、その後散水又は排水する目的地まで運搬後もう一方の手で容器本体Ｄの底部を斜め上方に持ち上げ蓋Ａに形成された切欠部Ｃ通過して散水又は排水され従来からある容器としての機能を発揮する。【００２５】  散水作業中に容器Ｄ内部にあった水Ｈが不足した場合を図８に基づいて説明する。操作者は把手Ｉをにぎり容器本体Ｄ共々持ち上げ給水装置が設置されている場所まで移動する。次に給水装置に設けられている蛇口の真下に蓋Ａの端部に形成された切欠部Ｃがくる位置に容器本体Ｄを設置する、給水装置の蛇口を開放する事により水Ｈは切欠部Ｃを通過し容器本体Ｄの内部に給水され容器Ｄ内部に水Ｈが満たされる。【００２６】  散水作業が終了し嵌着していた容器本体Ｄから蓋Ａを取りはずすには図７に示すように蓋取付部先端Ｆを操作者の指先にて斜上方に引き上げることにより容器本体Ｄと蓋Ａは容易に切り離され元の別個体となる。【００２７】本発明による容器の蓋は釣魚の収納用容器の蓋としても活用が可能である。【００２８】  また、蓋の上面に鋭角をなす突起を多数設け小孔の数及び径を調整する事によりおろし板としての活用も充分に可能となる。【００２９】  また、散水用の小孔の数と径を調整する事により小孔を利用してろ過機能をも併せ持っているなど利用の範囲と可能性は大きな広がりを持っている。【００３０】  容器開口部の形状が円、角、楕円、三角その他の形状にかかわらず各種の平面形状にも対応が可能である。【００３１】  切欠に蓋を支点とし上下に回転自在なる小蓋を設けて内容物の出し入れを行うことも可能である。
【図面の簡単な説明】
【００３２】
【図１】本発明の有孔部使用時の実施例を示す作用状態図
【図２】本発明の切欠部使用時の実施例を示す作用状態図
【図３】蓋Ａの平面図
【図４】蓋Ａの図３におけるＡ−Ａ断面図
【図５】蓋Ａの図３におけるＢ−Ｂ断面図
【図６】蓋Ａの図３におけるＣ−Ｃ断面拡大図
【図７】蓋Ａと容器本体Ｄの取付部の拡大図
【図８】容器本体への給水実施例を示す作用状態図
【符号の説明】
【００３３】      Ａ    蓋
Ｂ    有孔部
Ｃ    切欠部
Ｄ    容器本体
Ｅ    蓋取付部
Ｆ    蓋取付部先端
Ｇ    容器開口部外縁
Ｈ    水
Ｉ    把手
【図１】
2007049979.tif 000003
【図２】
2007049979.tif 000004
【図３】
2007049979.tif 000005
【図４】
2007049979.tif 000006
【図５】
2007049979.tif 000007
【図６】
2007049979.tif 000008
【図７】
2007049979.tif 000009
【図８】
2007049979.tif 000010